(57)【要約】【課題】ランプを覆いランプの軸に直交する切断面が略円形をなす笠状の反射板において、方形であってその角に丸みのある配光を得ることができる反射板、及び、これを備えた照明器具を提供すること。【解決手段】ランプ２を覆いランプ２の軸に直交する平面が略円形をなす笠状の反射板１において、反射板１の内面に帯状に反射板の軸周りに延びる帯状反射面１ａを反射板１の開口部１Ｊ側から頂上部１Ｋ側に連続して形成し、この帯状反射面１ａの断面形状を略円弧状に反射板１の内側へ湾曲する湾曲面１ａａとし、この湾曲面１ａａの曲率を軸を通り反射板１を軸方向に２分する２分割平面Ｘ−Ｘ´と帯状反射面１ａが交差する箇所で大きくし、この２分割平面Ｘ−Ｘ´と帯状反射面１ａが交差する箇所から所定の回転角離れるに従って湾曲面１ａａの曲率を小さくしたことを特徴とする反射板。【選択図】        図１
2004342508.tif 000002
【特許請求の範囲】
【請求項１】
ランプを覆いランプの軸に直交する切断面が略円形をなす笠状の反射板において、反射板の内面に帯状に反射板の軸周りに延びる帯状反射面を反射板の開口部側から頂上部側に連続して形成し、この帯状反射面の断面形状を略円弧状に反射板の内側へ湾曲する湾曲面とし、この湾曲面の曲率を軸を通り反射板を軸方向に２分する２分割平面と帯状反射面が交差する箇所で大きくし、この２分割平面と帯状反射面が交差する箇所から所定の回転角離れるに従って前記湾曲面の曲率を小さくしたことを特徴とする反射板。
【請求項２】
前記湾曲面の曲率を前記２分割平面と帯状反射面が交差する箇所で最大とし、２分割平面と帯状反射面が交差する箇所から略９０°離れた箇所で最小としたことを特徴とする請求項１記載の反射板。
【請求項３】
前記帯状反射面を少なくとも前記２分割平面と帯状反射面が交差する箇所から略６０°離れた箇所までは設けたことを特徴とする請求項１記載の反射板。
【請求項４】
請求項１乃至３記載の反射板を備えたことを特徴とする照明器具。
【請求項５】
請求項１乃至３記載の反射板を備えるとともに、フィラメントが発光部となるランプを反射板の高位中程に配置したことを特徴とする照明器具。
【請求項６】
請求項５記載の照明器具において、反射板の内面に形成された帯状反射面を反射板の頂上部側に位置するものほど湾曲面の曲率を小さくしたことを特徴とする。
【発明の詳細な説明】
【０００１】
【発明の属する技術分野】
本発明は、ランプを覆いランプの軸に直交する切断面が略円形をなす笠状の反射板及びこの反射板を備えた照明器具に関する。
【０００２】
【従来の技術】
この種の反射板としては、特開平５−０３４５１１号公報に開示されたものがある。図６は、これに開示された反射板の図で、図６（ａ）は、断面図、図６（ｂ）はその一部を示した下面図、図７は反射板の配光を示した図である。このものは、ランプを覆いランプの軸に直交する切断面が略円形をなす笠状の反射板１において、反射板１の内面に形成された反射面２０の略全域に一定方向に略平行な突状反射小帯部３０を多数形成するとともに、突状反射小帯部３０の反射面が、突状反射小帯部３０の長さ方向に対して直交する方向の断面形状を円弧状に突曲する突曲円弧面４０に形成したものである。
【０００３】
このように構成された反射板１は、略平行となった多数本の突状反射小帯部３０の突曲円弧面４０による反射によって、その配光パターンＰは図８に示すように突状反射小帯部３０の長さ方向とは略直交する方向を楕円の長い軸をなす楕円配光を得ることができるものとなる。さらに、この反射板は、その一部にペイントなどを儲け反射率を落して楕円配光を得るものではないので、その反射効率も良いものとすることができる。
【０００４】
【特許文献１】
特開平５−０３４５１１号公報
【０００５】
【発明が解決しようとする課題】
ところが、上記した反射板１は、楕円配光を得るものとしては有用であったが、例えば、内部に食品などが並べられた上方が開口した方形のショーケースの照明用として用いる場合には、その配光が楕円となるので、ショーケースが適切に照明されないものとなっていた。すなわち配光の広がりが小さい場合には四隅が暗くなり、また、配光の広がりが大きい場合には、その光がショーケース以外の箇所に広がってしまうことがあった。
【０００６】
本発明は、上記事由に鑑みてなしたもので、その目的とするところは、ランプを覆いランプの軸に直交する切断面が略円形をなす笠状の反射板において、方形であってその角に丸みのある配光を得ることができる反射板、及び、これを備えた照明器具を提供することにある。
【０００７】
【課題を解決するための手段】
請求項１に係る発明の反射板は、ランプを覆いランプの軸に直交する切断面が略円形をなす笠状の反射板において、反射板の内面に帯状に反射板の軸周りに延びる帯状反射面を反射板の開口部側から頂上部側に連続して形成し、この帯状反射面の断面形状を略円弧状に反射板の内側へ湾曲する湾曲面とし、この湾曲面の曲率を軸を通り反射板を軸方向に２分する２分割平面と帯状反射面が交差する箇所で大きくし、この２分割平面と帯状反射面が交差する箇所から所定の回転角離れるに従って前記湾曲面の曲率を小さくしたことを特徴とする。
【０００８】
請求項２に係る発明の反射板は、請求項１において、前記湾曲面の曲率を前記２分割平面と帯状反射面が交差する箇所で最大とし、２分割平面と帯状反射面が交差する箇所から略９０°離れた箇所で最小としたことを特徴とする。
【０００９】
請求項３に係る発明の反射板は、請求項１において、前記帯状反射面を少なくとも前記２分割平面と帯状反射面が交差する箇所から略６０°離れた箇所までは設けたことを特徴とする。
【００１０】
請求項４に係る発明の照明器具は、請求項１乃至３記載の反射板を備えたことを特徴とする。
【００１１】
請求項５に係る発明の照明器具は、請求項１乃至３記載の反射板を備えるとともに、フィラメントが発光部となるランプを反射板の高位中程に配置したことを特徴とする備えたことを特徴とする。
【００１２】
請求項６に係る発明の照明器具は、請求項５において、反射板の内面に形成された帯状反射面を反射板の頂上部側に位置するものほど湾曲面の曲率を小さくしたことを特徴とする。
【００１３】
【発明の実施の形態】
本発明の実施の形態を図１〜図５を用いて説明する。図１は照明器具を示す図で、図１（ａ）は一部を切り欠いた正面図、図１（ｂ）は下面図である。図２は、反射板を示す図で図１（ｂ）におけるＸ−Ｘ´断面図（２分割平面で切断した断面図）、図３は反射板を示す図で図１（ｂ）におけるＹ−Ｙ´断面図、図４は下方より反射板を見たときの斜視図、図５はこのものにおける配光を示す図である。
【００１４】
この照明器具は、ランプ２と、ランプ２を覆いランプ２の軸Ｚ−Ｚ´に直交する切断面が略円形をなす笠状の反射板１と、を備えて構成されている。
【００１５】
反射板１は、下方に開口部１Ｊを上方には頂上部１Ｋを有したものであり、その内面に帯状に反射板の軸周りに延びる帯状反射面１ａが形成されている。そして、この帯状反射面１ａは、反射板の開口部１Ｊ側から頂上部１Ｋ側に連続して形成されている。さらに帯状反射面１ａの周方向と直交する断面形状を略円弧状に反射板の内側へ湾曲する湾曲面１ａａとし、この湾曲面１ａａの曲率を軸Ｚ−Ｚ´を通り反射板を軸方向に２分する２分割平面Ｘ−Ｘ´と帯状反射面１ａが交差する箇所でおよそ最大とし、この２分割平面Ｘ−Ｘ´と帯状反射面１ａが交差する箇所から所定の回転角離れるに従って湾曲面１ａａの曲率を小さくしている。ここで湾曲面１ａａの曲率は、その円弧の半径が小さいものほど曲率が大きく、円弧の半径が大きいものほど曲率が小さいものとしている。また、湾曲面１ａａは２分割平面Ｘ−Ｘ´に対して略面対称に形成されている。
【００１６】
さらに詳しくは、２分割平面Ｘ−Ｘ´と帯状反射面１ａが交差する箇所から回転角６０°の箇所、つまり図１（ｂ）のａ−ｂ線あるいはａ´−ｂ´線、までは帯状反射面１ａを形成し、回転角６０°から９０°の範囲には図３に示したように帯状反射面１ａが形成されないなめらかな反射面１ｂとしている。さらに、帯状反射面１ａは、図２に示すように頂上部１Ｋ側に位置するものほど湾曲面１ａａの曲率を小さくしている。具体的には、円弧状に反射板の内側へ湾曲する湾曲面１ａａの円弧の半径をＲとすると、頂上部１Ｋ側に位置する湾曲面１ａａを描くための半径Ｒ１と、開口部１Ｊ側に位置する湾曲面１ａａを描くための半径Ｒ２と、の関係は、Ｒ１＞Ｒ２となっている。
【００１７】
ランプ２は、フィラメントが発光部となる電球タイプのランプ２であり、反射板１の高位中程に反射板１と同軸上に配置されている。
【００１８】
このように構成された照明器具を点灯させると、ランプ２から放たれた光は、帯状反射面１ａにより拡散されるものと、帯状反射面１ａが存在しない、なめらかな反射面１ｂにより拡散されないものと、の２つの光となる。そして帯状反射面１ａにより光が拡散されると、その光は、遠くまで届くものとなる。特に、帯状反射面１ａに形成された湾曲面１ａａの曲率が大きなものほど、これに反射された光は遠くまで届くものとなる。ここで湾曲面１ａａの曲率は、２分割平面Ｘ−Ｘ´と帯状反射面１ａが交差する箇所でおよそ最大とし、この２分割平面Ｘ−Ｘ´と帯状反射面１ａが交差する箇所から所定の回転角離れるに従って湾曲面１ａａの曲率を小さく、しかも、湾曲面１ａａは２分割平面Ｘ−Ｘ´に対して略面対称に形成されているので、ランプ２から放たれ、帯状反射面１ａにより拡散され光は、図５のように２分割平面Ｘ−Ｘ´と帯状反射面１ａが交差する箇所方向に方形の長軸方向を形成する光となる。
【００１９】
一方、なめらかな反射面１ｂで反射された光は、通常の円形反射板の光と同じ範囲でしか光が届かないため２分割平面Ｘ−Ｘ´と帯状反射面１ａが交差する箇所と直交するＹ−Ｙ´方向に方形の短軸方向を形成する光となる。そして、この２つの反射面１ａ、１ｂにより複合された光は、図５に示すような方形であってその角に丸みのある配光のものとなる。（図５は、この照明器具である面を照射したときの、照射面の照度のうち、ある所定の照度となった箇所を線で結んだものである。）
なお、このときランプ２は、ガラス管が透明なものでフィラメントの大きさが小さいものほどランプ２から放たれる光が点光源に近いものとなるので、その配光設計が行い易いものとなる。また、ランプ２の位置は、反射板１の高位中程に反射板１と同軸上に配置されているので、その配光がより広がりやすいものとなるとともに反射効率のよいものとなる。
【００２０】
さらに、この実施の形態においては、回転角６０°から９０°の範囲には帯状反射面１ａを形成していないが、この部分については帯状反射面１ａを形成しても図５に示したものとほぼ同様の配光が得られるものとなる。
【００２１】
この実施の形態によると、反射板１の内面であって反射板１の軸周りに帯状に延びる帯状反射面１ａを反射板の開口部側から頂上部側に連続して形成し、この帯状反射面１ａの断面形状を略円弧状に反射板の内側へ湾曲する湾曲面１ａａとし、この湾曲面１ａａの曲率を軸を通り反射板１を軸方向に２分する２分割平面Ｘ−Ｘ´と帯状反射面１ａが交差する箇所で大きくし、この２分割平面Ｘ−Ｘ´と帯状反射面１ａが交差する箇所から所定の回転角離れるに従って湾曲面１ａａの曲率を小さくしたことにより、帯状反射面１ａの湾曲面１ａａの曲率の大きい箇所では、ランプ２からの光が拡散され遠くまで届くものとなり、湾曲面１ａａの曲率の小さい箇所では、通常の円形反射板により光が届く範囲のものになるため、これらの複合された光は、方形であってその角に丸みのある配光のものとできる。
【００２２】
また、湾曲面１ａａの曲率を２分割平面Ｘ−Ｘ´と交差する箇所で最大とし、２分割平面Ｘ−Ｘ´と帯状反射面１ａが交差する箇所から９０°離れた箇所Ｙ−Ｙ´で最小とするとともに、湾曲面１ａａを２分割平面Ｘ−Ｘ´に対して面対称に設けたことにより、反射板１による配光は、Ｘ−Ｘ´を方形の長軸とし、Ｙ−Ｙ´を方形の短軸とする方形であって角に丸みのあるものとなるとともに、Ｘ−Ｘ´とＹ−Ｙ´の軸に対して線対称な配光とできる。
【００２３】
また、帯状反射面１ａを少なくとも２分割平面Ｘ−Ｘ´と帯状反射面１ａが交差する箇所から回転角６０°離れた箇所までは設けたことにより、この箇所より回転角９０°までは、帯状反射面１ａを設けなくとも、その配光は方形であって角に丸みのあるものとできる。なお、帯状反射面１ａを２分割平面Ｘ−Ｘ´と帯状反射面１ａが交差する箇所から回転角７０°離れた箇所まで設けた場合は、この箇所より回転角９０°までは、帯状反射面１ａを設けなくとも、その配光は方形であって角に丸みのあるものとできる。帯状反射面１ａを設ける角度が７０°から８０°に変わった場合でも同様のことである。
【００２４】
また、フィラメントが発光部となるランプ２を反射板１の高位中程に配置したことにより、その配光がより広がりやすいものとなるとともに反射効率のよいものとなる。
【００２５】
さらに、反射面の内面に形成された帯状反射面１ａは、反射板１の頂上部１Ｋ側に位置するものほど湾曲面１ａａの曲率を小さくするとともに、フィラメントが発光部となるランプ２を反射板１の高位中程に配置したことにより、その配光は、より方形であって角に丸みのあるものとできる。
【００２６】
【発明の効果】
請求項１記載の発明にあっては、帯状反射面の湾曲面の曲率の大きい箇所では、ランプからの光が拡散され遠くまで届くものとなり、湾曲面の曲率の小さい箇所では、通常の円形反射板により光が届く範囲のものになるため、これらの複合された光は、方形であってその角に丸みのある配光のものとできる。
【００２７】
請求項２記載の発明にあっては、請求項１に記載した効果を奏するうえに、反射板による配光は、方形であって角に丸みのあるものとなるとともに、方形の長軸と方形の短軸との各軸に対して線対称な配光とできる。
【００２８】
請求項３記載の発明にあっては、請求項１に記載した効果を奏するうえに、２分割平面と帯状反射面が交差する箇所から回転角６０°離れた箇所より回転角９０°までは、帯状反射面１ａを設けなくとも、その配光は方形であって角に丸みのあるものとできる。
【００２９】
請求項４記載の発明にあっては、請求項１乃至３に記載したものと同じ効果を奏する。
【００３０】
請求項５記載の発明にあっては、請求項１乃至３に記載した効果を奏するうえに、配光がより広がりやすいものとなるとともに反射効率のよいものとなる。
【００３１】
請求項６記載の発明にあっては、請求項５に記載した効果を奏するうえに、その配光は、より方形のものとできる。
【図面の簡単な説明】
【図１】本発明の実施の形態に係る照明器具を示す図で、図１（ａ）は一部を切り欠いた正面図、図１（ｂ）は下面図である。
【図２】同上の照明器具の反射板を示す図で、図１（ｂ）におけるＸ−Ｘ´断面図（２分割平面で切断した断面図）である。
【図３】同上の照明器具の反射板を示す図で、図１（ｂ）におけるＹ−Ｙ´断面図である。
【図４】同上の照明器具の反射板を示す図で、下方より反射板を見たときの斜視図である。
【図５】同上の照明器具の配光を示す図である。
【図６】従来例に係る照明器具の反射板を示す図で、図６（ａ）は、断面図、図６（ｂ）はその一部を示した下面図である。
【図７】同上の照明器具の反射板の配光を示した図である。
【符号の説明】
１      反射板
１ａ    帯状反射面
１ｂ    なめらかな反射面
１Ｊ    開口部
１Ｋ    頂上部
１ａａ  湾曲面
２      ランプ
Ｘ―Ｘ´２分割平面
Ｙ―Ｙ´Ｘ−Ｘ´と直交する線
Ｚ―Ｚ´ランプの軸
【図１】
2004342508.tif 000003
【図２】
2004342508.tif 000004
【図３】
2004342508.tif 000005
【図４】
2004342508.tif 000006
【図５】
2004342508.tif 000007
【図６】
2004342508.tif 000008
【図７】
2004342508.tif 000009